(57)【要約】【課題】陳列する商品はそのままで、歯ブラシの見本を省スペースで効率よく展示することができる歯ブラシ展示用具を提供する。【解決手段】販売用ケース８に歯ブラシ７を収容した商品９を吊り下げて陳列する商品陳列棚１に取り付けられる歯ブラシ展示用具１０であって、複数の歯ブラシ７の各ブラシヘッド部７ｂが外に出た状態で、複数の歯ブラシ７の各ハンドル部７ｄが正面１１ａの穴１２より横方向に挿入され、高さ方向が薄い箱状の本体１１と、商品陳列棚１の部材４，５に取り付けられ、本体の少なくとも穴１２が商品陳列棚１の値札表示具６の上方に配されるように本体１１を保持する保持部材５，２０と、を備えている。【選択図】図１
0003180216.tif 000002
【実用新案登録請求の範囲】
【請求項１】
複数の歯ブラシの各ブラシヘッド部が外に出た状態で該複数の歯ブラシの各ハンドル部が正面の穴より横方向に挿入され、高さ方向が薄い箱状である本体と、商品陳列棚の部材に取り付けられ、前記本体の少なくとも穴が前記商品陳列棚の値札表示具の上方に配されるように該本体を保持する保持部材と、を備えた歯ブラシ展示用具。
【請求項２】
前記保持部材は、前端側に前記値札表示具を取り付ける上フック部と販売用ケースに前記歯ブラシを収容した商品を吊り下げる下フック部とで側面コ字状の棒状に形成されたフック部材と、下端部が前記フック部材の上フック部に連結されると共に、上端部の上面が前記箱状の本体の底面に固着される取付部材と、で構成された請求項１記載の歯ブラシ展示用具。
【請求項３】
前記取付部材の下端部に、前記フック部材の上フック部に対する連結位置を可変するチャック部を備えた請求項２記載の歯ブラシ展示用具。
【請求項４】
前記取付部材の中間部に、該中間部の傾斜を調整する傾斜調整部を備えた請求項２または３記載の歯ブラシ展示用具。
【請求項５】
前記取付部材の中間部に、該中間部の高さを調整する高さ調整部を備えた請求項２〜４のいずれか１項に記載の歯ブラシ展示用具。
【請求項６】
前記箱状の本体の正面を底面側から上面側にかけて後退するように傾斜させ、この傾斜した正面に前記複数の歯ブラシの各ハンドル部が横方向から挿入される前記穴を所定の間隔で複数形成した請求項１〜５のいずれか１項に記載の歯ブラシ展示用具。
【請求項７】
前記箱状の本体の傾斜した正面に複数形成された各穴の周りに見本情報表示欄をそれぞれ設けた請求項１〜６のいずれか１項に記載の歯ブラシ展示用具。
【請求項８】
前記複数の歯ブラシの各首部と前記各穴の底面とを伸縮性の弾性部材で連結した請求項１〜７のいずれか１項に記載の歯ブラシ展示用具。
【請求項９】
前記弾性部材の先端に、前記複数の歯ブラシの各首部に伸縮して取り付けられる環状の弾性体を着脱自在に連結した請求項８記載の歯ブラシ展示用具。
【請求項１０】
前記弾性部材の基端に円環状で金属製のリングを連結し、このリングを前記穴の底面に固着された正面Ｈ字形の取付片の中央部に回転自在に取り付けた請求項８または９記載の歯ブラシ展示用具。
【請求項１１】
前記穴の形状と略同一の開口を有する中空の筒を該穴とその縁が一致するように前記本体の内部に備えた請求項１〜１０のいずれか１項に記載の歯ブラシ展示用具。
【考案の詳細な説明】
【技術分野】
【０００１】
本考案は、販売用ケースに歯ブラシを収容した商品を吊り下げて陳列する商品陳列棚に用いて好適な歯ブラシ展示用具に関する。
【背景技術】
【０００２】
従来、商品陳列棚において、店頭販売用ケースに歯ブラシを収容した細幅のパッケージ商品を、上下段にて左右に複数本配列された商品吊下用フック部材に吊り下げて陳列している（例えば、特許文献１，２参照。）。
【先行技術文献】
【特許文献】
【０００３】
【特許文献１】実開平７−３３１５６号公報（図１）
【特許文献２】特開２００３−１５５０６１号公報（図５）
【考案の概要】
【考案が解決しようとする課題】
【０００４】
前記従来の商品陳列棚では、歯ブラシを販売用ケースに収容して吊り下げて販売しているが、歯ブラシの見本を陳列することができなかった。歯ブラシの見本を展示しようとすると、それなりの面積を商品陳列棚の表面で占有してしまうため、陳列して展示する商品の種類や数を減らさなければならなかった。
【０００５】
そこで、本考案は、前記した課題を解決すべくなされたものであり、陳列する商品はそのままで、歯ブラシの見本を省スペースで効率よく展示することができる歯ブラシ展示用具を提供することを目的とする。
【課題を解決するための手段】
【０００６】
本考案は、販売用ケースに歯ブラシを収容した商品を吊り下げて陳列する商品陳列棚に取り付けられる歯ブラシ展示用具であって、複数の歯ブラシの各ブラシヘッド部が外に出た状態で該複数の歯ブラシの各ハンドル部が正面の穴より横方向に挿入され、高さ方向が薄い箱状である本体と、商品陳列棚の部材に取り付けられ、本体の少なくとも穴が商品陳列棚の値札表示具の上方に配されるように該本体を保持する保持部材と、を備えたことを特徴とする。
【考案の効果】
【０００７】
本考案によれば、複数の歯ブラシの各ブラシヘッド部が外に出た状態で該複数の歯ブラシの各ハンドル部が正面の穴より横方向に挿入され、高さ方向が薄い箱状である本体と、商品陳列棚の部材に取り付けられ、本体の少なくとも穴が商品陳列棚の値札表示具の上方に配されるように該本体を保持する保持部材と、を備えたことにより、陳列する商品はそのままで、歯ブラシの見本を省スペースで効率よく展示することができる。これにより、本体の正面の穴に挿入されている歯ブラシの見本を簡単かつ確実に出し入れすることができ、歯ブラシの見本のブラシヘッド部のブラシ毛に直に触れてその感触を確かめることができる。
【図面の簡単な説明】
【０００８】
【図１】本考案の実施形態に係る歯ブラシ展示用具を取り付けた商品陳列棚の斜視図である。
【図２】上記歯ブラシ展示用具の要部の拡大部分斜視図である。
【図３】上記歯ブラシ展示用具の要部の拡大断面図である。
【図４】上記歯ブラシ展示用具に用いられる取付部材の例を示す側面図である。
【図５】上記歯ブラシ展示用具に用いられる弾性部材の先端側の構造を示す斜視図である。
【図６】上記歯ブラシ展示用具に用いられる箱状の本体のブランクの一例を示す展開図である。
【考案を実施するための形態】
【０００９】
以下、本考案の実施形態を図面に基づいて説明する。
【００１０】
図１は本考案の歯ブラシ展示用具を取り付けた商品陳列棚の斜視図、図２は同歯ブラシ展示用具の要部の拡大部分斜視図、図３は同要部の拡大断面図、図４は同歯ブラシ展示用具に用いられる取付部材の例を示す側面図、図５は歯ブラシ展示用具に用いられる箱状の本体のブランクの一例を示す展開図である。
【００１１】
図１に示すように、歯ブラシ７を販売用ケース８に収容した商品９をフック部材５に吊り下げて陳列する商品陳列棚１の上段と中段に位置する各横バー部材４，４間に、歯ブラシ展示用具１０を取り付けてある。
【００１２】
この商品陳列棚１は、矩形状のベース２と、このベース２の後側の両角部に起立した一対の支柱３，３と、この一対の支柱３，３間の上段と中段と下段の位置にそれぞれ架け渡された金属製の横バー部材（商品陳列棚の部材）４と、各段の横バー部材４に取り付けられた複数の金属製のフック部材（商品陳列棚の部材）５と、各フック部材５の前端５ａに取り付けられる値札表示具６と、を備えている。この値札表示具６は、図３に示すように、フック部材５のＬ字形の前端５ａに装着孔６ｂを介して圧入により取り付けられるカードホルダ６ａと、このカードホルダ６ａに保持されるプライスカード６ｃとで構成されている。
【００１３】
図２及び図３に示すように、歯ブラシ７は、ブラシ毛７ａを植毛したブラシヘッド部７ｂと、首部７ｃと、ハンドル部（柄部）７ｄとで構成されている。販売用の歯ブラシ７は、透明な販売用ケース８等に収容されて展示され、見本用の歯ブラシ７は、そのままの状態で展示されるようになっている。
【００１４】
図１〜図３に示すように、歯ブラシ展示用具１０は、複数の歯ブラシ７の各ブラシヘッド部７ｂが外に出た状態で、その各ハンドル部７ｄが正面１１ａの穴１２より横方向に挿入され、高さ方向が左右の幅方向（左右の両側面１１ｆ，１１ｆ間）に比べて薄い紙製で箱状の本体１１と、商品陳列棚１の部材４，５に取り付けられ、本体１１の少なくとも穴１２が商品陳列棚１の値札表示具６の上方に配置されるように該本体１１を保持する保持部材５，２０と、を備えている。
【００１５】
本体１１は、図６に示す板紙等を打ち抜いたブランク１１Ａを折り曲げて扁平矩形の箱状に形成してある。図２及び図３に示すように、箱状の本体１１の正面１１ａは、その底面１１ｂ側から上面１１ｃ側にかけて後退するように傾斜しており、この傾斜した正面１１ａには、複数の歯ブラシ７の各ハンドル部７ｄが横方向から挿入される円形凹状の穴１２を等間隔で横方向に並列に複数形成してある。即ち、この箱状の本体１１の傾斜した正面１１ａに複数形成された各穴１２は、紙製の円筒体１３と、この円筒体１３の底面を成すブランク１１Ａの内側折曲片１４とで円形凹状に形成されている。なお、円筒体１３の直径を穴１２の直径とほぼ同じにして、穴１２の縁が円筒体１３の内面と連続するように構成してある。さらに、箱状の本体１１の傾斜した正面１１ａから背面１１ｄにかけて複数形成された各穴１２の周りの正面１１ａ側には、矩形状の見本情報表示欄１５をそれぞれ設けてある。
【００１６】
保持部材（５，２０）は、Ｌ字形の前端５ａに値札表示具６を取り付ける上フック部５ｂと起立部５ｃと販売用ケース８に歯ブラシ７を収容した商品９を吊り下げる下フック部５ｄとで側面コ字状の棒状に形成されたフック部材（商品陳列棚の部材）５と、下端部２１がチャック部２２を介してフック部材５の上フック部５ｂに連結されると共に、上端部２６の円板状の上面２６ａが箱状の本体１１の底面１１ｂに固着される取付部材２０と、で構成されている。図２及び図３に示すように、フック部材５は、下フック部５ｄに固着されたコ字形の取付部５ｆを介して横バー部材４に着脱自在に取り付けられている。また、図１〜図３に示すように、箱状の本体１１は、例えば、左右両端側に位置する一対のフック部５，５の各上フック部５ｂに前後２つ合計で４つの取付部材２０を介して取り付けられている。なお、フック部材５の下フック部５ｄの前端側は上方に傾斜した傾斜部５ｅとなっていて、吊り下げられた商品９が落下しないようになっている。
【００１７】
図３及び図４に示すように、取付部材２０は合成樹脂で形成されており、その下端部２１には、フック部材５の上フック部５ｂに対する連結位置を可変する略Ｕ字状で弾力性のあるチャック部２２を備えている。また、取付部材２０の中間部２３は、円柱状に形成してあり、その上面と底面に球面状の凹部２３ａ，２３ｂをそれぞれ形成してある。
【００１８】
図３に示すように、中間部２３の底面に形成された球面状の凹部２３ｂには、該中間部２３の傾斜を調整する傾斜調整部２４の上側の球体部２４ａを摺動自在に嵌め込んである。また、傾斜調整部２４の下側の球体部２４ｂは、下端部２１の上面に形成された球面状の凹部２１ａに摺動自在に嵌め込まれている。さらに、中間部２３の上面に形成された球面状の凹部２３ａには、上端部２６の下側に一体突出形成された球体部２６ｂを摺動自在に嵌め込んである。さらに、上端部２６の円形の上面２６ａには接着層２７を積層してあり、この接着層２７は剥離紙２８（図４にのみ示す）で覆われている。取付部材２０を使用する際には、剥離紙２８を取り除いて、箱状の本体１１の底面１１ｂに上端部２６の円形の上面２６ａを接着層２７を介して固着するようになっている。
【００１９】
さらに、図４に示すように、取付部材２０の中間部２３には、中間部２３の高さを調整する円柱状の高さ調整部２５を備えている。この高さ調整部２５の上面と底面に球面状の凹部２５ａ，２５ｂをそれぞれ形成してある。この高さ調整部２５の上面と底面に形成された球面状の凹部２５ａ，２５ｂには、中間部２３の傾斜を調整する上下一対の傾斜調整部２４，２４の下側と上側の各球体部２４ｂ，２４ａを摺動自在に嵌め込んである。これにより、図３に示す取付部材２０の中間部２３には、高さ調整部２５を継ぎ足し形成できるようになっており、取付部材２０の高さを調整できるようになっている。
【００２０】
図２及び図３に示すように、複数の歯ブラシ７の各首部７ｃと箱状の本体１１の各穴１２の底面（本体１１の内側折曲片１４）とは、柔らかいプラスチック製のコイルバネ（伸縮性の弾性部材）３０で連結してある。
【００２１】
図５に示すように、コイルバネ３０の先端３０ａには、複数の歯ブラシ７の各首部７ｃに伸縮して取り付けられる輪ゴム（環状の弾性体）３１を着脱自在に連結してある。即ち、コイルバネ３０の先端３０ａに取付片３２を加締めてあり、また、輪ゴム３１には止め具３３を挿入してある。これら取付片３２の丸孔３２ａと止め具３３の一対の丸孔３３ａ，３３ａに係止ピン（係止部材）３４の一対の係止部３４ａ，３４ａを圧入して係止することで両者を着脱自在に連結してある。
【００２２】
図２及び図３に示すように、コイルバネ３０の基端３０ｂには取付片３５を加締めてあり、この取付片３５の丸孔３５ａに円環状で金属製のリング３６を挿通してある。このリング３６は、箱状の本体１１の各穴１２の底面をなす本体１１の内側折り曲げ片１４と背面１１ｄ間に接着剤等で固着された金属製で正面Ｈ字形の取付片３７のＵ字状の中央部３７ａに回転自在に取り付けてある。尚、取付片３５の丸孔３５ａの周囲の突出部は、本体１１の内側折曲片１４に形成された切欠き１４ａに挿通しており、また、取付片３７のＵ字状に突出した中央部３７ａは、本体１１の背面１１ｄに形成したスリット１１ｅに挿通している。
【００２３】
以上実施形態の商品陳列棚１に取り付けられる歯ブラシ展示用具１０によれば、図１〜図３に示すように、複数の歯ブラシ７の各ブラシヘッド部７ｂが外に出た状態で、複数の歯ブラシ７の各ハンドル部７ｄが正面１１ａの穴１２より横方向に挿入され、高さ方向が薄い箱状である本体１１と、商品陳列棚１の部材としての横バー部材４とフック部材５に取り付けられ、本体１１の少なくとも穴１２が商品陳列棚１の値札表示具６の上方に配置されるように本体１１を保持する保持部材としてのフック部材５と取付部材２０とを備えたことにより、陳列する商品９はそのままで、歯ブラシ７の見本を省スペースで効率よく展示することができる。即ち、商品陳列棚１の上段の横バー部材４に取り付けられた複数のフック部材５と中上段の横バー部材４に取り付けられた複数のフック部材５との間の狭いスペースに歯ブラシ展示用具１０を簡単に取り付けることができるため、これら上下段の複数のフック部５，５間の狭いスペースに陳列する商品９はそのままで、即ち、陳列して展示する商品９の種類や数を減らすことなく、歯ブラシ７の見本を省スペースで効率よく展示することができる。
【００２４】
また、図３に示すように、歯ブラシ展示用具１０を商品陳列棚１に取り付ける保持部材を、前端５ａに値札表示具６を取り付ける上フック部５ｂと販売用ケース８に歯ブラシ７を収容した商品９を吊り下げる下フック部５ｄとで側面コ字状の棒状に形成されたフック部材５と、下端部２１がフック部材５の上フック部５ｂに連結されると共に、上端部２６の上面２６ａが箱状の本体１１の底面１１ｂに接着層２７を介して固着される取付部材２０とで構成し、商品陳列棚１の部材としてのフック部材５を保持部材として兼用したことにより、少ない部品で、かつ、低コストで、箱状の本体１１を値札表示具６の上方に簡単かつ確実に取り付けて配置することができる。
【００２５】
また、取付部材２０の下端部２１に、フック部材５の上フック部５ｂに対する連結位置を可変するチャック部２２を備えたことにより、フック部材５の上フック部５ｂに対する取付部材２０の連結位置をチャック部２２により簡単に可変することができるため、箱状の本体１１の取付位置を前後方向に簡単かつ確実に調整することができる。
【００２６】
また、取付部材２０の中間部２３に、中間部２３の傾斜を調整する傾斜調整部２４を備えたことにより、取付部材２０の中間部２３の傾斜を傾斜調整部２４により簡単に可変することができるため、箱状の本体１１の取付状態が水平になるように簡単かつ確実に調整することができる。
【００２７】
さらに、取付部材２０の中間部２３に、中間部２３の高さを調整する高さ調整部２５を備えたことにより、取付部材２０の中間部２３の高さを高さ調整部２５で簡単に調整することができるため、取付部材２０を長短のものと入れ替えることにより、箱状の本体１１の取付位置の高さを簡単かつ確実に変更することができる。
【００２８】
また、箱状の本体１１の正面１１ａを底面１１ｂ側から上面１１ｃ側にかけて後退するように傾斜させ、この傾斜した正面１１ａに複数の歯ブラシ７の各ハンドル部７ｄが横方向から挿入される穴１２を等間隔で複数形成したことにより、各穴１２に挿入されている歯ブラシ７の見本を簡単かつ確実に出し入れすることができる。さらに、穴１２の縁を断面の開口形状が穴１２の形状と略同一の筒である円筒体１３の内面と連続するよう一致させたことで、穴１２の縁に歯ブラシ７のハンドル部７ｄの凹凸やコイルバネ３０などが引っかかることで歯ブラシ７の穴１２からの出し入れがし難くなることを防止できる。
【００２９】
また、箱状の本体１１の傾斜した正面１１ａに複数形成された各穴１２の周りに見本情報表示欄１５をそれぞれ設けたことにより、見本情報表示欄１５により各穴１２に挿入されている歯ブラシ７の情報を簡単に入手することができる。
【００３０】
さらに、複数の歯ブラシ７の各首部７ｃと各穴１２の底面１４とを伸縮性のあるコイルバネ３０で連結したことにより、各穴１２より歯ブラシ７の見本を引き出す際に、コイルバネ３０が延びるため、歯ブラシ７の見本のブラシヘッド部７ｂのブラシ毛７ａに直に触れてその感触を確かめることができ、また、触れ終わると、元の穴１２に歯ブラシ７を簡単に差し込んで確実に入れることができる。
【００３１】
さらに、コイルバネ３０の先端３０ａに、複数の歯ブラシ７の各首部７ｃに伸縮して取り付けられる円環状の輪ゴム３１を着脱自在に連結したことにより、歯ブラシ７のブラシヘッド部７ｂから首部７ｃに伸ばして嵌め込む輪ゴム３１が切れても輪ゴム３１を簡単に交換することができる。
【００３２】
さらに、コイルバネ３０の基端３０ｂに円環状で金属製のリング３６を連結し、このリング３６を穴１２の底面１４に固着された正面Ｈ字形の取付片３７の中央部３７ａに回転自在に取り付けたことにより、コイルバネ３０の基端３０ｂを穴１２の底面１４に簡単かつ確実に取り付けることができ、また、穴１２内でコイルバネ３０が詰まることなく、確実に収容することができる。これにより、穴１２に挿入されている歯ブラシ７の見本を簡単かつ確実に出し入れすることができ、また、穴１２内から歯ブラシ７の見本が外に落下することを確実に防止することができる。
【００３３】
尚、前記実施形態によれば、前端５ａに値札表示具６を取り付ける上フック部５ｂと販売用ケース８に歯ブラシ７を収容した商品９を吊り下げる下フック部５ｄとで側面コ字状の棒状に形成されたフック部材５の上フック部５ｂに、取付部材２０を介して歯ブラシ展示用具１０の箱状の本体１１を固着したが、前端５ａに値札表示具６を取り付ける上フック部５ｂが無い棒状のフック部材に取付部材を介して箱状の本体を取り付けても良い。
【００３４】
また、側面コ字状のフック部材５の上フック部５ｂに取付部材２０を介して歯ブラシ展示用具の箱状の本体１１の底面１１ｂを取り付けたが、商品陳列棚の横バー部材等の部材にロッドアンテナのような伸縮する一対の腕状部材の各基端を固定し、この一対の腕状部材の各伸縮部に箱状の本体を取り付けて、箱状の本体を前後方向に移動できるようにしてその正面の位置を調整できるようにしたり、商品陳列棚の横バー部材等の部材に一対の固定棒の各基端を固定し、この一対の固定棒に箱状の本体の両側面等に設けた一対の取付部の各スライド孔を挿通させて、箱状の本体を前後方向にスライド移動できるようにしてその正面の位置を調整できるようにしても良い。
【符号の説明】
【００３５】
１  商品陳列棚
４  横バー部材（商品陳列棚の部材）
５  フック部材（商品陳列棚の部材、保持部材）
５ａ  前端
５ｂ  上フック部
５ｄ  下フック部
６  値札表示具
７  歯ブラシ
７ｂ  ブラシヘッド部
７ｃ  首部
７ｄ  ハンドル部
８  販売用ケース
９  商品
１０  歯ブラシ展示用具
１１  箱状の本体
１１ａ  正面
１１ｂ  底面
１１ｃ  上面
１２  穴
１３  円筒体（中空の筒）
１４  内側折曲片（底面）
１５  見本情報表示欄
２０  取付部材（保持部材）
２１  下端部
２２  チャック部
２３  中間部
２４  傾斜調整部
２５  高さ調整部
２６  上端部
２６ａ  上面
３０  プラスチック製のコイルバネ（伸縮性の弾性部材）
３０ａ  先端
３０ｂ  基端
３１  輪ゴム（環状の弾性体）
３６  円環状で金属製のリング
３７  取付片
３７ａ  中央部
【図１】
0003180216.tif 000003
【図２】
0003180216.tif 000004
【図３】
0003180216.tif 000005
【図４】
0003180216.tif 000006
【図５】
0003180216.tif 000007
【図６】
0003180216.tif 000008